(57)【要約】      （修正有）【課題】位牌棚に設置され、地震の振動等によって位牌が転倒するのを防止する位牌転倒防止装置を提供する。【解決手段】一対の側板部材１３を所定間隔で配置し、これらの側板部材の間に所要数の棚板１４を階段状に架設するとともにこの棚板の奥端縁に背板１５を配置し、この棚板の天面に位牌Ａを載置する位牌棚１０において、棚板の天面の両端部に支持柱２０を立設し、これらの支持柱の間に支持糸を張設し、この支持糸は位牌の背丈よりも低く且つ位牌の前面に配置される。【選択図】図１
0003170392.tif 000002
【実用新案登録請求の範囲】
【請求項１】
一対の側板部材を所定間隔で配置し、これらの側板部材の間に所要数の棚板を階段状に架設するとともにこの棚板の奥端縁に背板を配置し、この棚板の天面に位牌を載置する位牌棚において、前記棚板の天面の両端部に支持柱を立設し、これらの支持柱の間に支持糸を張設し、この支持糸は前記位牌の背丈よりも低く且つ前記位牌の前面に配置されていることを特徴とする位牌転倒防止装置。
【請求項２】
前記一対の側板部材の間に補助柱を設け、この補助柱によって前記支持糸を支えることを特徴とする請求項１の位牌転倒防止装置。
【請求項３】
前記背板に前記補助柱を設置したことを特徴とする請求項２の位牌棚用位牌転倒防止装置。
【請求項４】
前記支持糸は複数であることを特徴とする請求項１，請求項２又は請求項３の位牌転倒防止装置。
【請求項５】
前記支持柱は上下方向に伸縮し高さ調節が可能であることを特徴とする請求項１，請求項２，請求項３又は請求項４の位牌転倒防止装置。
【考案の詳細な説明】
【技術分野】
【０００１】
この考案は位牌転倒防止装置に関し、位牌棚に設置され、地震の振動等によって位牌が転倒するのを防止するために使用される。
【背景技術】
【０００２】
従来におけるこの種の位牌転倒防止装置は、位牌の底面に永久磁石シートを固着するとともにこの位牌を載置する棚板（位牌棚の）等の天面に被吸着シートを固着したものであり、前記位牌を前記棚板等の被吸着シート上に載置することにより、前記永久磁石シートの吸着力によって、前記位牌を前記棚板等に固定し、地震の振動等による位牌の転倒防止を図っていた。
【０００３】
【特許文献１】実登録３１５４６６９号公報
【考案の開示】
【考案が解決しようとする課題】
【０００４】
しかしながら、従来における位牌転倒防止装置にあっては、位牌棚に載置されるべき全位牌に永久磁石シートを貼り付けなければならないため作業に手間がかかり、且つ、被吸着シート上に位牌が載置しなければならないため、位牌棚における位牌の配置がある程度限定され、位牌棚を有効に使用しにくいという不都合を有した。
【０００５】
これらの不都合を解消することがこの考案の課題である。
【課題を解決するための手段】
【０００６】
前記課題を達成するために、この考案に係る位牌転倒防止装置においては、一対の側板部材を所定間隔で配置し、これらの側板部材の間に所要数の棚板を階段状に架設するとともにこの棚板の奥端縁に背板を配置し、この棚板の天面に位牌を載置する位牌棚において、前記棚板の天面の両端部に支持柱を立設し、これらの支持柱の間に支持糸を張設し、この支持糸は前記位牌の背丈よりも低く且つ前記位牌の前面に配置されているものである。
【０００７】
また、前記一対の側板部材の間に補助柱を設け、この補助柱によって前記支持糸を支えることもできる。
【０００８】
この場合、前記背板に前記補助柱を設置することもできる。
【０００９】
また、前記支持糸を複数にすることもできる。
【００１０】
さらに、前記支持柱を上下方向に伸縮させ高さ調節を可能にすることもできる。
【考案の効果】
【００１１】
この考案に係る位牌転倒防止装置は上記のように構成されているため、即ち、一対の側板部材を所定間隔で配置し、これらの側板部材の間に所要数の棚板を階段状に架設するとともにこの棚板の奥端縁に背板を配置し、この棚板の天面に位牌を載置する位牌棚において、前記棚板の天面の両端部に支持柱を立設し、これらの支持柱の間に支持糸を張設し、この支持糸は前記位牌の背丈よりも低く且つ前記位牌の前面に配置されているため、棚板に載置された位牌は前面に倒れようとしても前記支持糸に妨害されてそのまま転倒することはなく、元の状態に戻るものである。また、背板があるため、後方に転倒することはないものである。
【００１２】
よって、この位牌転倒防止装置を使用すれば、位牌棚において、載置されている位牌は従来と異なりそのままの状態で、且つ、棚板における載置位置も限定されることなく所望する位置に適宜配置することができる結果、位牌棚を有効に使用することができる。
【００１３】
また、前記一対の側板部材の間に補助柱を設け、この補助柱によって前記支持糸を支えるようにすれば、前記支持糸が一対の支持柱の間で弛みにくくなり、位牌を適正に支えることができる。
【００１４】
この場合、前記背板に前記補助柱を設置すれば、位牌を載置するにあたって棚板の天面を広くとることができるものである。
【００１５】
また、前記支持糸を複数にすれば、背丈の高い位牌に対しても充分に支えることができる。
【００１６】
さらに、前記支持柱を上下方向に伸縮させ高さ調節を可能にすれば、一の支持柱によって背丈の異なる位牌に対応することができ、各々の位牌に対して転倒防止を図ることができる。
【考案を実施するための最良の形態】
【００１７】
この考案に係る位牌転倒防止装置は位牌棚に載置された位牌の転倒を防止するためのものである。位牌棚は、一対の側板部材を所定間隔で配置し、これらの側板部材の間に所要数の棚板を階段状に架設するとともにこの棚板の奥端縁に背板を配置し、この棚板の天面に位牌を載置するものであり、寺院等に建築物として一体的に組み付けられたもの及び移動可能な独立したものが該当する。
【００１８】
位牌転倒防止装置は、前記棚板の天面の両端部に支持柱を立設する。これらの支持柱の間に支持糸を張設する。この支持糸は前記位牌の背丈よりも低く且つ前記位牌の前面に配置されている。支持糸としては、半透明の釣糸が適している。
【００１９】
前記一対の側板部材の間に補助柱を設け、この補助柱によって前記支持糸を支える。この補助柱は前記背板に設置する。
【００２０】
前記支持糸は位牌の背丈に応じて上下方向に２本、３本略並列に配置することもできる。
【００２１】
また、前記支持柱は上下方向に伸縮するものであり、その高さを調節することができる。
【実施例】
【００２２】
以下、この考案の実施例を図面に基づいて説明する。
図１はこの考案に係る位牌転倒防止装置の正面図、図２は図１におけるII部左上方からの斜視図、図３は同右上方からの斜視図、図４は支持柱の斜視図、図５は同分解斜視図、図６は図１におけるVI部斜視左上方からの斜視図、図７は図１におけるVII部右上方からの斜視図、図８は図１におけるVII部右上方からの斜視図である。
【００２３】
図１において、１０は位牌棚であり、寺院の建造物として組み付けられたものである。１１、１１は寺院の柱、１２は同鴨居である。１３，１３は壁部であり、前記柱１０，１０の内側に設置されている。この壁部１３，１３はこの考案の側板部材に相当する。１４，１４、…は棚板であり、前記一対の壁部１３，１３の間に階段状に架設されている。この棚板１４，１４、…の天面に位牌Ａ，Ａ，…が載置される。１５，１５、…は背板であり、棚板１４，１４、…の奥端縁に設置されている。この背板１５は上方に延び、位牌棚１０に背面を構成している。なお、１６，１６は戸棚であり、位牌棚１０の下方に設置されている。
【００２４】
２０，２０、…は支持柱であり、前記棚板１４，１４、…の両端部に設置されている。これらの支持柱２０，２０、…は一対が一組として互いに対向している。
【００２５】
図２〜５に基づいて、この支持柱２０について詳述する。
【００２６】
２１は前記支持柱２０の基板であり、前記棚板１４にビス止めされている。この基板２１は上方に延びている（図４、図５参照のこと）。２２はスライド板であり、前記基板２１に鞘状に外嵌めされている（図４、図５参照のこと）。このスライド板２２を上下方向にスライドさせることによって、当該支持柱２０の背丈は伸縮する。
【００２７】
２３は固定ボルトであり、前記基板２１の側部に螺子込まれている。前記スライド板２２は、この固定ボルト２３によって前記基板２１に締め付け固定される。
【００２８】
２５は取付フックであり、前記スライド板２２の上部内側面にボルト２６，２６止めされている。この取付フック２５は、反対側の支持柱２０の取付フック２５と対向している。Ｓは支持糸であり、その端部は前記取付フック２５に結び付けられている。この支持糸Ｓは略水平方向に延び、その先端は対向する支持柱２０の取付フック２５に緊張状態で結び付けられている。この支持糸Ｓの位置は前記位牌Ａの背丈よりも低く且つ前記位牌Ａの前面に配置している。なお、２７，２７、…は固定孔であり、複数の取付フック２５を取り付ける場合に使用される。
【００２９】
図１及び図６において、３０は補助柱であり、前記位牌棚１０の背板１５にビス止めされている。この補助柱３０は板状であり、前記棚板１４の略中間部に位置している。３１，３１、…は支持溝であり、前記補助柱３０の先端縁に形成されている。この支持溝３１，３１、…は下方に食い込んでおり、前記支持糸Ｓを嵌挿した状態で支えている
【００３０】
図1及び図７において、５０，５０は他の支持柱であり、前記位牌棚１０における最上の棚板１４の両端部に設置されている。これらの支持５０，５０は固定式であり、その背丈は前記支持柱２０を延ばした場合と略同じである。そして、２本の支持線Ｓ，Ｓを張設するために、２つの取付フック２５、２５が設置されている。これは、通常、最上段に載置される背丈の高い位牌Ａに対応するためである。
【００３１】
図１及び図８において、６０は他の補助柱であり、前記位牌棚１０の棚板１４にビス止めされている。６１，６１、…は支持溝であり、前記補助柱３０の前端縁に形成されている。この支持溝６１，６１、…は斜め上方に食い込んでおり、前記支持糸Ｓ、Ｓを嵌挿した状態で支えている
【産業上の利用可能性】
【００３２】
この考案に係る位牌転倒防止装置は、棚板に載置された位牌は前面に倒れようとしても前記支持糸に妨害されてそのまま転倒することはなく、元の状態に戻る。また、背板があるため、後方に転倒することもない。位牌棚において、載置されている位牌はそのままの状態で、且つ、棚板における載置位置も限定されることなく所望する位置に適宜配置することができ、位牌棚を有効に使用することができる。産業上の利用可能性は高いものである。
【図面の簡単な説明】
【００３３】
【図１】図１はこの考案に係る位牌転倒防止装置の正面図である。
【図２】図２は図１におけるII部左上方からの斜視図である。
【図３】図３は同右上方からの斜視図である。
【図４】図４は支持柱の斜視図である。
【図５】図５は同分解斜視図である。
【図６】図６は図１におけるVI部斜視左上方からの斜視図である。
【図７】図７は図１におけるVII部右上方からの斜視図である。同分解斜視図である。
【図８】図８は図１におけるVII部右上方からの斜視図である。
【符号の説明】
【００３４】
１０  …  位牌棚
１１  …  柱
１２  …  鴨居
１３  …  壁部（側板部材）
１４  …  棚板
Ａ  …  位牌
１５  …  背板
１６  …  戸棚
２０  …  支持柱
２１  …  基板
２２  …  スライド板。
２３  …  固定ボルト
２５  …  取付フック
２６  …  ボルト
２７  …  固定孔
３０  …  補助柱
３１  …  支持溝
５０  …  他の支持柱（支持柱）
６０  …  他の補助柱（補助柱）
６１  …  他の支持溝（支持溝）
【図１】
0003170392.tif 000003
【図２】
0003170392.tif 000004
【図３】
0003170392.tif 000005
【図４】
0003170392.tif 000006
【図５】
0003170392.tif 000007
【図６】
0003170392.tif 000008
【図７】
0003170392.tif 000009
【図８】
0003170392.tif 000010